【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
複数の入力および複数の出力を備え、前記複数の入力のうちの少なくとも１つによって少なくとも１つの入力無線周波数（ＲＦ）信号を受信し、前記少なくとも１つの入力ＲＦ信号を増幅し、前記複数の出力のうちの少なくとも１つによって少なくとも１つの増幅されたＲＦ信号を提供するように構成された、増幅するための手段と、
前記増幅するための手段に結合され、前記少なくとも１つの増幅されたＲＦ信号を受信およびルーティングするように構成された、ルーティングするための手段と、
共通のローイカル発振器（ＬＯ）ジェネレータに、および前記ルーティングするための手段に直接結合された、ダウンコンバートするための１対の手段と、前記１対の手段の各手段は、前記少なくとも１つの増幅されたＲＦ信号を共通のＬＯ信号を用いて同時にダウンコンバートするように構成され、前記ダウンコンバートするための手段は、複数のアンテナに結合するために構成される
を備える、装置。
【請求項２】
前記少なくとも１つの増幅されたＲＦ信号は、第１から第４の増幅されたＲＦ信号を備え、前記ダウンコンバートするための手段は、
前記第１の増幅されたＲＦ信号をダウンコンバートして、第１のセットのキャリアに関する第１のアンテナについての第１のダウンコンバートされた信号を取得するための手段と、
前記第２の増幅されたＲＦ信号をダウンコンバートして、前記第１のセットのキャリアに関する第２のアンテナについての第２のダウンコンバートされた信号を取得するための手段と、
前記第３の増幅されたＲＦ信号をダウンコンバートして、第２のセットのキャリアに関する前記第１のアンテナについての第３のダウンコンバートされた信号を取得するための手段と、
第４の増幅されたＲＦ信号をダウンコンバートして、前記第２のセットのキャリアに関する前記第２のアンテナについての第４のダウンコンバートされた信号を取得するための手段と
を備える、請求項１に記載の装置。
【請求項３】
前記増幅するための手段は、複数の低雑音増幅器（ＬＮＡ）であり、
前記ルーティングするための手段は、前記複数のＬＮＡの出力に結合された複数のスイッチであり、
前記ダウンコンバートするための手段は、前記複数のスイッチに結合された少なくとも１つのダウンコンバータである
請求項１に記載の装置。
【請求項４】
前記複数のＬＮＡは、
第１のアンテナに関する第１のセットのＬＮＡと、
第２のアンテナに関する第２のセットのＬＮＡと
を備える、請求項３に記載の装置。
【請求項５】
前記第１のセットのＬＮＡは、少なくとも２つの帯域グループに関する少なくとも２つのＬＮＡを含み、前記第２のセットのＬＮＡは、前記少なくとも２つの帯域グループに関する少なくとも２つの追加的なＬＮＡを含み、および／または、前記少なくとも１つのダウンコンバータは、
前記複数のスイッチの第１のサブセットを介して前記第１のセットのＬＮＡに結合された第１のダウンコンバータと、
前記複数のスイッチの第２のサブセットを介して前記第２のセットのＬＮＡに結合された第２のダウンコンバータと
を備え、および／または、前記複数のＬＮＡの各々は、第１のおよび第２の出力を備え、前記少なくとも１つのダウンコンバータは、
前記複数のスイッチの第１のサブセットを介して前記第１のセットのＬＮＡの第１の出力に結合された第１のダウンコンバータと、
前記複数のスイッチの第２のサブセットを介して前記第２のセットのＬＮＡの第１の出力に結合された第２のダウンコンバータと、
前記複数のスイッチの第３のサブセットを介して前記第１のセットのＬＮＡの第２の出力に結合された第３のダウンコンバータと、
前記複数のスイッチの第４のサブセットを介して前記第２のセットのＬＮＡの第２の出力に結合された第４のダウンコンバータと
を備える、請求項４に記載の装置。
【請求項６】
前記第１のおよび第２のダウンコンバータに結合された第１のローカル発振器（ＬＯ）ジェネレータと、
前記第３のおよび第４のダウンコンバータに結合された第２のＬＯジェネレータと
をさらに備え、および／または、前記第１のおよび第２のダウンコンバータが、前記第２のセットのＬＮＡよりも前記第１のセットのＬＮＡの近くに位置付けられ、および／または、前記第１のダウンコンバータが、前記第１のＬＯジェネレータから前記第１のおよび第２のダウンコンバータへの信号ルーティングを低減するために、前記第２のダウンコンバータの所定の距離内に位置付けられる、請求項５に記載の装置。
【請求項７】
少なくとも１つのスイッチをさらに備え、各スイッチは、前記複数のＬＮＡのうちの２つの間で結合される、請求項３に記載の装置。
【請求項８】
前記複数のＬＮＡの各々は、Ｍ個の出力を備え、Ｍ個までの出力からＭ個までの増幅されたＲＦ信号を提供するように構成され、ここでＭは１より大きい整数である、請求項３に記載の装置。
【請求項９】
前記複数のＬＮＡの各ＬＮＡは、
複数の利得回路と、各利得回路は前記利得回路の入力と出力の間に結合された利得トランジスタを備える、
前記ＬＮＡに関する前記複数の利得回路と複数の負荷回路の間に結合された複数のカスコードトランジスタと
を備える、請求項３に記載の装置。
【請求項１０】
前記複数のＬＮＡの各ＬＮＡは、
複数の利得回路と、各利得回路は前記利得回路の入力と第１のおよび第２の出力の間に結合された第１のおよび第２の利得トランジスタを備える、
前記ＬＮＡに関する複数の負荷回路と前記複数の利得回路の前記第１のおよび第２の出力の間に結合された複数のカスコードトランジスタと
を備える、請求項３の装置。
【請求項１１】
前記複数のＬＮＡを備える少なくとも１つのフロントエンドモジュールと、
前記少なくとも１つのダウンコンバータを備えるバックエンドモジュールと
をさらに備え、前記バックエンドモジュールは、好ましくは、前記複数のスイッチをさらに備える、請求項３に記載の装置。
【請求項１２】
前記複数のＬＮＡ、前記複数のスイッチ、および前記少なくとも１つのダウンコンバータを備えるバックエンドモジュールをさらに備える、請求項３に記載の装置。
【請求項１３】
前記複数のＬＮＡは、第１のセットのＬＮＡおよび第２のセットのＬＮＡを備え、前記少なくとも１つのダウンコンバータは、第１のセットのダウンコンバータおよび第２のセットのダウンコンバータを備え、前記第１のセットのＬＮＡおよび前記第１のセットのダウンコンバータは前記バックエンドモジュールの第１の半分上に実装され、並びに前記第２のセットのＬＮＡおよび前記第２のセットのダウンコンバータは、前記バックエンドモジュールの第２の半分上に実装される、請求項１２に記載の装置。
【請求項１４】
複数の低雑音増幅器（ＬＮＡ）のうちの少なくとも１つを用いて少なくとも１つの入力無線周波数（ＲＦ）信号を増幅して、少なくとも１つの増幅されたＲＦ信号を取得することと、
前記複数のＬＮＡの出力に結合された複数のスイッチのうちの少なくとも１つを介して前記少なくとも１つの増幅されたＲＦ信号をルーティングすることと、
共通のローカル発振器（ＬＯ）ジェネレータに、および前記複数のスイッチに直接結合された少なくとも１つのダウンコンバータの対を用いて前記少なくとも１つの増幅されたＲＦ信号をダウンコンバートすることと、前記少なくとも１つのダウンコンバータの対の各ダウンコンバータは、前記少なくとも１つの増幅されたＲＦ信号を共通のＬＯ信号を用いて同時にダウンコンバートするように構成され、前記少なくとも１つのダウンコンバータの対は、複数のアンテナに結合するために構成される
を備える方法。
【請求項１５】
前記複数のＬＮＡは、第１のアンテナに関する第１のセットのＬＮＡおよび第２のアンテナに関する第２のセットのＬＮＡを備え、各ＬＮＡは、第１のおよび第２の出力を備え、前記少なくとも１つの増幅されたＲＦ信号は、第１から第４の増幅されたＲＦ信号を備え、前記ダウンコンバートすることは、
前記複数のスイッチの第１のサブセットを介して前記第１のセットのＬＮＡの第１の出力に結合された第１のダウンコンバータを用いて前記第１の増幅されたＲＦ信号をダウンコンバートして、第１のセットのキャリアに関する前記第１のアンテナについての第１のダウンコンバートされた信号を取得すること、
前記複数のスイッチの第２のサブセットを介して前記第２のセットのＬＮＡの第１の出力に結合された第２のダウンコンバータを用いて前記第２の増幅されたＲＦ信号をダウンコンバートして、前記第１のセットのキャリアに関する前記第２のアンテナについての第２のダウンコンバートされた信号を取得することと、
前記複数のスイッチの第３のサブセットを介して前記第１のセットのＬＮＡの第２の出力に結合された第３のダウンコンバータを用いて前記第３の増幅されたＲＦ信号をダウンコンバートして、第２のセットのキャリアに関する前記第１のアンテナについての第３のダウンコンバートされた信号を取得することと、
前記複数のスイッチの第４のサブセットを介して前記第２のセットのＬＮＡの第２の出力に結合された第４のダウンコンバータを用いて第４の増幅されたＲＦ信号をダウンコンバートして、前記第２のセットのキャリアに関する前記第２のアンテナについての第４のダウンコンバートされた信号を取得することと
を備える、請求項１４に記載の方法。
【手続補正２】
【補正対象書類名】明細書
【補正対象項目名】００８６
【補正方法】変更
【補正の内容】
【００８６】
[0092]  本開示の先の説明は、当業者が本開示をつくるまたは使用することを可能にするために提供される。本開示への様々な修正は、当業者にとって容易に明らかであろうし、ここに定義された一般的な原理は、本開示の範囲から逸脱することなく、他のバリエーションにも適用され得る。したがって、本開示は、ここに説明された例および設計に限定されるようには意図されておらず、ここに開示された原理および新規な特徴と一致する最も広い範囲を与えられるべきである。
以下に、本願出願の当初の特許請求の範囲に記載された発明を付記する。
［Ｃ１］
装置であって、
少なくとも１つの入力無線周波数（ＲＦ）信号を受信および増幅し、少なくとも１つの増幅されたＲＦ信号を提供するように構成された複数の低雑音増幅器（ＬＮＡ）と、
前記複数のＬＮＡの出力に結合された複数のスイッチと、
前記複数のスイッチに結合され、前記少なくとも１つの増幅されたＲＦ信号をダウンコンバートし、少なくとも１つのダウンコンバートされた信号を提供するように構成された少なくとも１つのダウンコンバータと
を備える、装置。
［Ｃ２］
前記複数のＬＮＡは、
第１のアンテナに関する第１のセットのＬＮＡと、
第２のアンテナに関する第２のセットのＬＮＡと
を備える、Ｃ１に記載の装置。
［Ｃ３］
前記第１のセットのＬＮＡは、少なくとも２つの帯域グループに関する少なくとも２つのＬＮＡを含み、前記第２のセットのＬＮＡは、前記少なくとも２つの帯域グループに関する少なくとも２つの追加的なＬＮＡを含む、Ｃ２に記載の装置。
［Ｃ４］
前記少なくとも１つのダウンコンバータは、
前記複数のスイッチの第１のサブセットを介して前記第１のセットのＬＮＡに結合された第１のダウンコンバータと、
前記複数のスイッチの第２のサブセットを介して前記第２のセットのＬＮＡに結合された第２のダウンコンバータと
を備える、Ｃ２に記載の装置。
［Ｃ５］
前記複数のＬＮＡの各々は、第１のおよび第２の出力を備え、前記少なくとも１つのダウンコンバータは、
前記複数のスイッチの第１のサブセットを介して前記第１のセットのＬＮＡの第１の出力に結合された第１のダウンコンバータと、
前記複数のスイッチの第２のサブセットを介して前記第２のセットのＬＮＡの第１の出力に結合された第２のダウンコンバータと、
前記複数のスイッチの第３のサブセットを介して前記第１のセットのＬＮＡの第２の出力に結合された第３のダウンコンバータと、
前記複数のスイッチの第４のサブセットを介して前記第２のセットのＬＮＡの第２の出力に結合された第４のダウンコンバータと
を備える、Ｃ２に記載の装置。
［Ｃ６］
前記第１のおよび第２のダウンコンバータに結合された第１のローカル発振器（ＬＯ）ジェネレータと、
前記第３のおよび第４のダウンコンバータに結合された第２のＬＯジェネレータと
をさらに備える、Ｃ５に記載の装置。
［Ｃ７］
前記第１のおよび第２のダウンコンバータが、前記第２のセットのＬＮＡよりも前記第１のセットのＬＮＡの近くに位置付けられる、Ｃ５に記載の装置。
［Ｃ８］
前記第１のダウンコンバータが、前記第１のＬＯジェネレータから前記第１のおよび第２のダウンコンバータへの信号ルーティングを低減するために、前記第２のダウンコンバータの所定の距離内に位置付けられる、Ｃ６に記載の装置。
［Ｃ９］
少なくとも１つのスイッチをさらに備え、各スイッチは、前記複数のＬＮＡのうちの２つの間で結合される、Ｃ１に記載の装置。
［Ｃ１０］
前記複数のＬＮＡの各々は、Ｍ個の出力を備え、Ｍ個までの出力からＭ個までの増幅されたＲＦ信号を提供するように構成され、ここでＭは１より大きい整数である、Ｃ１に記載の装置。
［Ｃ１１］
前記複数のＬＮＡの各ＬＮＡは、
複数の利得回路と、各利得回路は前記利得回路の入力と出力の間に結合された利得トランジスタを備える、
前記ＬＮＡに関する前記複数の利得回路と複数の負荷回路の間に結合された複数のカスコードトランジスタと
を備える、Ｃ１に記載の装置。
［Ｃ１２］
前記複数のＬＮＡの各ＬＮＡは、
複数の利得回路と、各利得回路は前記利得回路の入力と第１のおよび第２の出力の間に結合された第１のおよび第２の利得トランジスタを備える、
前記ＬＮＡに関する複数の負荷回路と前記複数の利得回路の前記第１のおよび第２の出力の間に結合された複数のカスコードトランジスタと
を備える、Ｃ１の装置。
［Ｃ１３］
前記複数のＬＮＡを備える少なくとも１つのフロントエンドモジュールと、
前記少なくとも１つのダウンコンバータを備えるバックエンドモジュールと
をさらに備える、Ｃ１の装置。
［Ｃ１４］
前記バックエンドモジュールは、前記複数のスイッチをさらに備える、Ｃ１３に記載の装置。
［Ｃ１５］
前記複数のＬＮＡ、前記複数のスイッチ、および前記少なくとも１つのダウンコンバータを備えるバックエンドモジュールをさらに備える、Ｃ１に記載の装置。
［Ｃ１６］
前記複数のＬＮＡは、第１のセットのＬＮＡおよび第２のセットのＬＮＡを備え、前記少なくとも１つのダウンコンバータは、第１のセットのダウンコンバータおよび第２のセットのダウンコンバータを備え、前記第１のセットのＬＮＡおよび前記第１のセットのダウンコンバータは前記バックエンドモジュールの第１の半分上に実装され、並びに前記第２のセットのＬＮＡおよび前記第２のセットのダウンコンバータは、前記バックエンドモジュールの第２の半分上に実装される、Ｃ１５に記載の装置。
［Ｃ１７］
複数の低雑音増幅器（ＬＮＡ）のうちの少なくとも１つを用いて少なくとも１つの入力無線周波数（ＲＦ）信号を増幅して、少なくとも１つの増幅されたＲＦ信号を取得することと、
前記複数のＬＮＡの出力に結合された複数のスイッチのうちの少なくとも１つを介して前記少なくとも１つの増幅されたＲＦ信号をルーティングすることと、
前記複数のスイッチに結合された少なくとも１つのダウンコンバータを用いて前記少なくとも１つの増幅されたＲＦ信号をダウンコンバートすることと
を備える方法。
［Ｃ１８］
前記複数のＬＮＡは、第１のアンテナに関する第１のセットのＬＮＡおよび第２のアンテナに関する第２のセットのＬＮＡを備え、各ＬＮＡは、第１のおよび第２の出力を備え、前記少なくとも１つの増幅されたＲＦ信号は、第１から第４の増幅されたＲＦ信号を備え、前記ダウンコンバートすることは、
前記複数のスイッチの第１のサブセットを介して第１のセットのＬＮＡの第１の出力に結合された第１のダウンコンバータを用いて前記第１の増幅されたＲＦ信号をダウンコンバートして、第１のセットのキャリアに関する前記第１のアンテナについての第１のダウンコンバートされた信号を取得すること、
前記複数のスイッチの第２のサブセットを介して前記第２のセットのＬＮＡの第１の出力に結合された第２のダウンコンバータを用いて前記第２の増幅されたＲＦ信号をダウンコンバートして、前記第１のセットのキャリアに関する前記第２のアンテナについての第２のダウンコンバートされた信号を取得することと、
前記複数のスイッチの第３のサブセットを介して前記第１のセットのＬＮＡの第２の出力に結合された第３のダウンコンバータを用いて前記第３の増幅されたＲＦ信号をダウンコンバートして、第２のセットのキャリアに関する前記第１のアンテナについての第３のダウンコンバートされた信号を取得することと、
前記複数のスイッチの第４のサブセットを介して前記第２のセットのＬＮＡの第２の出力に結合された第４のダウンコンバータを用いて第４の増幅されたＲＦ信号をダウンコンバートして、前記第２のセットのキャリアに関する前記第２のアンテナについての第４のダウンコンバートされた信号を取得することと
を備える、Ｃ１７に記載の方法。
［Ｃ１９］
複数の入力および複数の出力を備え、前記複数の入力のうちの少なくとも１つによって少なくとも１つの入力無線周波数（ＲＦ）信号を受信し、前記少なくとも１つの入力ＲＦ信号を増幅し、前記複数の出力のうちの少なくとも１つによって少なくとも１つの増幅されたＲＦ信号を提供するように構成された、増幅するための手段と、
前記増幅するための手段に結合され、前記少なくとも１つの増幅されたＲＦ信号を受信およびルーティングするように構成された、ルーティングするための手段と、
前記ルーティングするための手段に結合され、前記少なくとも１つの増幅されたＲＦ信号をダウンコンバートするように構成された、ダウンコンバートするための手段と
を備える、装置。
［Ｃ２０］
前記少なくとも１つの増幅されたＲＦ信号は、第１から第４の増幅されたＲＦ信号を備え、前記ダウンコンバートするための手段は、
前記第１の増幅されたＲＦ信号をダウンコンバートして、第１のセットのキャリアに関する第１のアンテナについての第１のダウンコンバートされた信号を取得するための手段と、
前記第２の増幅されたＲＦ信号をダウンコンバートして、前記第１のセットのキャリアに関する第２のアンテナについての第２のダウンコンバートされた信号を取得するための手段と、
前記第３の増幅されたＲＦ信号をダウンコンバートして、第２のセットのキャリアに関する前記第１のアンテナについての第３のダウンコンバートされた信号を取得するための手段と、
第４の増幅されたＲＦ信号をダウンコンバートして、前記第２のセットのキャリアに関する前記第２のアンテナについての第４のダウンコンバートされた信号を取得するための手段と
を備える、Ｃ１９に記載の装置。